(57)【特許請求の範囲】
【請求項１】
ケース内のプリント基板表面に回路部品が実装され、前記プリント基板上に所定のスペースを確保するように形成されたフレームが設けられ、該フレームの上面側には、回路パターンが実装されたフレキシブル基板が固定されている携帯機器において、
前記フレキシブル基板の左端は、下方向に折り曲げられて、前記フレームに支持され、
各種指示を入力する複数の入力ボタンを照光させる発光素子は、前記フレキシブル基板の下面に一つだけ実装されると共に、前記フレームに設けられた凹部に配置され、
前記フレームの下側平面には前記発光素子からの光を反射しやすいように反射板が固着され、
前記発光素子からの光を前記フレーム内に進行させることによって前記フレームを発光体とし、前記反射板によって前記入力ボタンを各々均一に所定の明るさで照光させ、
前記入力ボタンは、前記ケースの上側に配置されたゴムキーとケース側面の側面キーとからなり、該側面キーは前記発光素子からの光によって照光され、
前記フレキシブル基板上に、かつ前記各入力ボタンの下側に光量調節用穴が形成された半透明フィルムに覆われた導通性ドームが配置されている
ことを特徴とする携帯機器のキー照明構造。
【発明の詳細な説明】
【０００１】
【発明の属する技術分野】
本発明は携帯機器のキー照明構造に関する。
【０００２】
【従来の技術】
最近の携帯電話は通話だけでなく電子メール等の情報送受信にも活用され、携帯端末機として市場が拡大されており、様々なメーカが参入して多種多様な端末を市場投入している。
【０００３】
ところで、表示装置とキー入力装置を具備した携帯端末機は、夜間等周囲が暗い場所でキー入力する場合にキー入力装置を照明させる構造を有している。その照明構造は、キーの数量に対応する複数のＬＥＤをキーの直下付近に配置させる構成をとっている。以下、従来の照明構造について図５を参照して説明する。
【０００４】
図５は従来の携帯端末機の内部構造を示した断面図である。上ケース１上面の開口穴１ａには、凸部４ｂを具備し光が透過できるように半透明色材料にて形成するゴムキー４ａが貫通設置させられている。下ケース２ａに形成される支持部２ａにはプリント基板６が支持されている。
【０００５】
プリント基板６の表面には回路部品６ａが実装されており、更に反対面には回路部品６ｂが実装できるようにプリント基板６上に所定のスペースを確保するようにモールド材で形成されたフレーム７が設けられている。
【０００６】
一平面で形成されたフレーム７の上面側には、所定の位置に導電部８ａを有し回路パターンが実装されたフレキシブル基板８が粘着剤等で固定されており、フレキシブル基板８はコネクタ６ｃに接続されてプリント基板６と電気的に導通している。
【０００７】
各々導電部８ａの間には、ゴムキー４ａを均一に照光させるために所定の位置に複数のＬＥＤ８ｂがフレキシブル基板８上に実装配置されている。更に各々導電部８ａを覆うように金属等の導通体で半球状で薄く均一肉厚に形成されたドーム９が配置されており、ゴムキー４ａを押下した時にドーム９が変形し導電部８ａと接触しキー入力を検知する構成になっている。ドーム９は、片面側に粘着剤を有するポリエステルフィルム等の材質のシート９ａにより覆われてフレキシブル基板８に固定接着されている。
【０００８】
また上ケース１の左側面開口穴に配置されたボタン４Ｃはプリント基板６上に実装されたスイッチ６ｂを押下する構成としている。入力操作するゴムキー４ａは、光が透過しやすいように透明または半透明材料で形成されており数字、記号、文字等が表面に印刷等で表示された形態、または表面の数字、記号、文字等をマスクして白抜き印刷表示された形態であり、各ゴムキー４ａ間に設置された複数のＬＥＤの発光によりユーザーが入力装置部を操作できるようにする。
【０００９】
【発明が解決しようとする課題】
しかし、上記した従来の照明構造では、ゴムキー４ａの照明にＬＥＤ８ｂの直接光を用いているので、複数のゴムキー４ａを均一的に光らせるために多数のＬＥＤ８ｂを各々ゴムキー４ａ間に配する必要があり部品点数が多くコストアップになる。さらに今日の多くの携帯電話では側面ボタンを発光させないようにしているため、暗闇では側面ボタンの位置や印字文字は分かりずらいという課題がある。
【００１０】
又、近年コストダウンを図り低価格の端末の提供、電池が長持ちする携帯端末機の早急な開発が叫ばれており、特に最近は液晶のカラー化やゲーム機能搭載等により消費電流が大幅に多くなったため電池消耗の少ない端末が要求されているが、上記した従来の照明構造では、多数のＬＥＤ８ｂを発光させるので消費電流が多いため、電池消耗が多く、頻繁に電池を充電しなければならないという課題がある。
【００１１】
【課題を解決するための手段】
本発明によれば、ケース内のプリント基板表面に回路部品が実装され、前記プリント基板上に所定のスペースを確保するように形成されたフレームが設けられ、該フレームの上面側には、回路パターンが実装されたフレキシブル基板が固定されている携帯機器において、
前記フレキシブル基板の左端は、下方向に折り曲げられて、前記フレームに支持され、
各種指示を入力する複数の入力ボタンを照光させる発光素子は、前記フレキシブル基板の下面に一つだけ実装されると共に、前記フレームに設けられた凹部に配置され、
前記フレームの下側平面には前記発光素子からの光を反射しやすいように反射板が固着され、
前記発光素子からの光を前記フレーム内に進行させることによって前記フレームを発光体とし、前記反射板によって前記入力ボタンを各々均一に所定の明るさで照光させ、
前記入力ボタンは、前記ケースの上側に配置されたゴムキーとケース側面の側面キーとからなり、該側面キーは前記発光素子からの光によって照光され、
前記フレキシブル基板上に、かつ前記各入力ボタンの下側に光量調節用穴が形成された半透明フィルムに覆われた導通性ドームが配置されている
ことを特徴とする携帯機器のキー照明構造が得られる。
【００１８】
【発明の実施の形態】
図１は一般的な携帯電話機（以後電話機）の斜視図であり、この電話機はモールドで形成された上下一対の上ケース１及び下ケース２で構成されている。上ケース１の上面側には液晶３を具備する表示装置部と、電話機の発信時に使用する番号キー等を配置し、さらに通話中でも使用できるように側面にもキーを配置したキー入力装置４を具備する。また着信を報知するためのレンズ５が具備されている。
【００１９】
図２は図１におけるＡ−Ａ線断面図であり、本発明の第１の実施の形態に係る携帯端末機の内部構造を示した図である。以下、上記した図５に示された従来技術と異なる構成のみ説明し、共通する箇所については省く。
【００２０】
図２において、側面のボタン４ｄに関する実装方式は、フレキシブル基板８ｄの左端を９０度下方向に折り曲げてフレーム７ａに支持固着し、円柱状の凸部４ｅの中心軸線上に導電部８ｂ及びシート９ｃに覆われて固定されている導通性のあるドーム９が配置されており、ボタン４ｄを押した時ドーム９と導電部８ｂが接触しボタン4ｄの入力検知がされる。
【００２１】
シート９ｃは光が通過しやすいように表面に凹凸加工または乳白色の半透明フィルムで形成されているが、ゴムキー４ａ及びボタン４ｃを各々均一に所定の明るさで照光させるように光量調節のために複数の穴９ｂが所定の位置に設けられている。一方照光時にドーム９の影がゴムキー４ａ及びボタン４ｃに映らないようにシート９ｃを半透明フィルムで形成することで照光時のドーム９の影をぼかす。
【００２２】
またゴムキー４ａとボタン4ｄを照光させる光源は、透明または半透明のフレキシブル基板８ｄの下面に実装配置され、発光素子が側面方向に配置されたタイプのＬＥＤ８ｃが一つ、フレーム７ａに設けられた凹部７ｅに配置される構成である。
【００２３】
フレーム７ａの下側平面に設置された反射板７ａは光を反射しやすいように白色系あるいは銀色系のフィルムであり片面に粘着剤付でフレーム７ａに固着される。
【００２４】
以下、上記した照明構造を有する携帯端末機の動作について説明する。図２においてユーザーが暗闇等でキー入力装置に照明が必要な時に、ＬＥＤ８ｃの発光した光は、フレーム７ａ内を進行（図２の破線矢印方向に進行）し、フレーム７ａの下側平面に設置された反射板７ａにより、ゴムキー４ａだけでなく側面に配置されたボタン４ｃ各々均一に所定の明るさで照光させることができる。
【００２５】
つまりフレーム７ａを発光体とすることでＬＥＤ８ｃ１ケの光源でキー入力装置全体を照光させることができる。
【００２６】
次に、本発明の第２の実施の形態に係る携帯端末機の内部構造について図３を参照して説明する。図３は本発明の第２の実施の形態に係る携帯端末機の内部構造を示した図である。側面のボタン４ｃの実装に関し、内部実装の制約等によりスイッチ６ｄを使用しなければいけない場合には、フレーム７ｃの左端に凸部７ｈを形成しＬＥＤ８ｃの光をボタン４ｃの方向に導くことができる。
【００２７】
次に、本発明の第３の実施の形態に係る携帯端末機の内部構造について図４を参照して説明する。図４は本発明の第３の実施の形態に係る携帯端末機の内部構造を示した図である。フレキシブル基板８ｄ上にＬＥＤ等の電気部品が実装できない制約がある場合、図４に示すように、ＬＥＤ８ｅをフレーム７ｄの左側に設けた凹部７ｇに収まるようにプリント基板６に実装配置させ、ＬＥＤ８ｅの光をゴムキー４ａ方向に導く（ＬＥＤ８ｅの光は図４の破線矢印の方向に進行）ようにフレーム７ｄの左上部に斜面７ｆを設けた形状とする。
【００２８】
効果としてフレキシブル基板８ｄには電気部品が実装されず、ＬＥＤ８ｅ含め電気部品は全てプリント基板６のみに実装でき、フレキシブル基板を部品搭載機に投入する製造コストが削減できる。
【００２９】
【発明の効果】
従来、キー照光のためにＬＥＤを十数個使用していたが、本発明によれば１つのＬＥＤの光をフレーム内に導いて、フレームそのものを発光体とすることにより入力キーを照光させるためのＬＥＤ数量を削減でき、コストダウンができる。
【００３０】
第２に、従来の方式ではＬＥＤを十数個使用していたため多くの電話機は安価な単色素子のＬＥＤを使用し製品コストを抑えてきたが、３色素子の高価なＬＥＤを１ケ使用した場合は従来の単色素子のＬＥＤを十数個使用していた場合よりも安価であり、しかも３色素子の発光量制御によりキーを様々な発光色に照光することができる。
【００３１】
第３に、ＬＥＤの消費電流を少なくできるため電池消耗が少なく、頻繁に電池を充電する必要がない。
【図面の簡単な説明】
【図１】一般的な携帯電話機の斜視図である。
【図２】図１のＡ−Ａ線断面図であり、本発明の第１の実施の形態に係る携帯端末機の内部構造を示した図である。
【図３】本発明の第２の実施の形態に係る携帯端末機の内部構造を示した図である。
【図４】本発明の第３の実施の形態に係る携帯端末機の内部構造を示した図である。
【図５】従来の携帯端末機の内部構造を示した図である。
【符号の説明】
１    上ケース
２    下ケース
３    液晶
４    キー入力装置
５    レンズ
４ａ    ゴムキー
４ｃ，４ｄ    ボタン
４ｅ    凸部
６    プリント基板
６ａ，６ｂ    回路基板
６ｃ    コネクタ
６ｄ    スイッチ
７ａ    反射板
７ｂ    フレーム
７ｃ    フレーム
７ｄ    フレーム
７ｅ    凹部
７ｈ    凸部
８ｄ    フレキシブル基板
８ｂ    導電部
８ｃ，８ｅ    ＬＥＤ
９    ドーム
９ｂ    穴
９ｃ    シート
【図１】
0003746985.tif 000002
【図２】
0003746985.tif 000003
【図３】
0003746985.tif 000004
【図４】
0003746985.tif 000005
【図５】
0003746985.tif 000006